【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
表示部と、
第１画像情報を出力する画像出力装置が接続可能に構成される第１コネクターと、
前記第１コネクターに接続された前記画像出力装置の起動を指示する起動指示部と、
前記画像出力装置の起動が完了したことを検出する検出部と、
第２画像情報を記憶する画像記憶部と、
前記画像出力装置の起動が完了したことを前記検出部が検出していない場合に、前記第２画像情報に対応する第２画像を前記表示部に表示させ、
前記画像出力装置の起動が完了したことを前記検出部が検出した場合に、前記第１画像情報に対応する第１画像を前記表示部に表示させる、表示制御部と、
を備える、
表示装置。
【請求項２】
第２コネクターと、
前記第１コネクター又は前記第２コネクターを選択する選択部と、
を備え、
前記選択部が前記第１コネクターを選択した場合に、前記起動指示部は、前記第１コネクターに接続された前記画像出力装置の起動を指示する、
請求項１に記載の表示装置。
【請求項３】
前記選択部が前記第２コネクターを選択している状態から、前記選択部が前記第１コネクターを選択している状態に遷移したときに、前記起動指示部は、前記画像出力装置の起動を指示する、
請求項２に記載の表示装置。
【請求項４】
前記第２コネクターは、前記画像出力装置が接続可能に構成され、
前記第２コネクターに前記画像出力装置が接続されていない状態から、前記第２コネクターに前記画像出力装置が接続された状態に遷移したときに、前記起動指示部は、前記第２コネクターに接続された前記画像出力装置の起動を指示する、
請求項３に記載の表示装置。
【請求項５】
表示部と、第１画像情報を出力する画像出力装置が接続可能に構成される第１コネクターと、第２画像情報を記憶する画像記憶部とを備える表示装置の制御方法であって、
前記第１コネクターに接続された前記画像出力装置の起動を指示する起動指示ステップと、
前記画像出力装置の起動が完了したことを検出する検出ステップと、
前記検出ステップにおいて前記画像出力装置の起動が完了したことを検出した場合に、前記第１画像情報に対応する第１画像を前記表示部に表示させる第１表示制御ステップと、
前記検出ステップにおいて前記画像出力装置の起動が完了したことを検出していない場合に、前記第２画像情報に対応する第２画像を前記表示部に表示させる第２表示制御ステップと、
を含む、
表示装置の制御方法。
【請求項６】
前記表示装置は、第２コネクターを備え、
前記表示装置の制御方法は、
前記第１コネクター又は前記第２コネクターを選択する選択ステップ
を含み、
前記選択ステップにおいて、前記第１コネクターを選択した場合に、前記起動指示ステップにおいて、前記第１コネクターに接続された前記画像出力装置の起動を指示する、
請求項５に記載の表示装置の制御方法。
【請求項７】
前記選択ステップにおいて前記第２コネクターを選択している状態から、前記選択ステップにおいて前記第１コネクターを選択している状態に遷移したときに、前記起動指示ステップにおいて、前記画像出力装置の起動を指示する、
請求項６に記載の表示装置の制御方法。
【請求項８】
表示装置のコネクターに接続可能に構成され、画像情報を前記表示装置に出力する画像出力装置であって、
前記表示装置から前記画像出力装置の起動を開始する旨の指示情報を受け取った場合に、前記画像出力装置の起動を開始し、
前記画像出力装置の起動が完了した場合に、前記画像出力装置の起動が完了した旨を示す完了情報を、前記表示装置に前記コネクターを介して伝送する、制御部を備える、
画像出力装置。
【請求項９】
第１画像情報を出力する画像出力装置と、表示装置とを備える表示システムであって、
前記表示装置は、
表示部と、
前記画像出力装置が接続可能に構成されるコネクターと、
前記コネクターに接続された前記画像出力装置の起動を指示する起動指示部と、
前記画像出力装置の起動が完了したことを検出する検出部と、
第２画像情報を記憶する画像記憶部と、
前記画像出力装置の起動が完了したことを前記検出部が検出していない場合に、前記第２画像情報に対応する第２画像を前記表示部に表示させ、
前記画像出力装置の起動が完了したことを前記検出部が検出した場合に、前記第１画像情報に対応する第１画像を前記表示部に表示させる、表示制御部と、
を備える、
表示システム。
【手続補正２】
【補正対象書類名】明細書
【補正対象項目名】００２６
【補正方法】変更
【補正の内容】
【００２６】
【図１】プロジェクターの構成を示す図。
【図２】第１実施形態及び第２実施形態におけるコネクターの構成を示す図。
【図３】画像出力装置の構成を示す図。
【図４】第１制御部と第２制御部との構成を示す図。
【図５】第１実施形態における第１制御部の処理を示すフローチャート。
【図６】第１実施形態における第２制御部の処理を示すフローチャート。
【図７】第２実施形態における第１制御部の処理を示すフローチャート。
【図８】第３実施形態におけるコネクターの構成を示す図。
【図９】第３実施形態における第１制御部の処理を示すフローチャート。
【手続補正３】
【補正対象書類名】明細書
【補正対象項目名】００５１
【補正方法】変更
【補正の内容】
【００５１】
なお、本発明の第１実施形態及び第２実施形態では、第１コネクター１７１は、例えばＨＤＭＩコネクターであるが、本発明はこれに限定されない。第１コネクター１７１は、ＵＳＢ（Ｕｎｉｖｅｒｓａｌ  Ｓｅｒｉａｌ  Ｂｕｓ）コネクターでもよい。また、第１コネクター１７１は、イーサネット（登録商標）規格に基づく通信が可能なコネクターでもよい。
【手続補正４】
【補正対象書類名】明細書
【補正対象項目名】００９２
【補正方法】変更
【補正の内容】
【００９２】
第２コネクター１７２を選択していないと選択部１６１が判定した場合（ステップＳＡ３０９でＮＯ）には、ステップＳＡ３１３において、選択部１６１は、第１コネクター１７１を選択したか否かを判定する。
第１コネクター１７１を選択していないと選択部１６１が判定した場合（ステップＳＡ３１３でＮＯ）には、処理がステップＳＡ３０９に戻る。第１コネクター１７１を選択したと選択部１６１が判定した場合（ステップＳＡ３１３でＹＥＳ）には、処理がステップＳＡ３１５に進む。
そして、ステップＳＡ３１５において、第１制御部１５０は、第１コネクター１７１に画像出力装置２００が接続されたか否かを判定する。
第１コネクター１７１に画像出力装置２００が接続されていないと第１制御部１５０が判定した場合（ステップＳＡ３１５でＮＯ）には、処理がステップＳＡ３０９に戻る。第１コネクター１７１に画像出力装置２００が接続されたと第１制御部１５０が判定した場合（ステップＳＡ３１５でＹＥＳ）には、処理がステップＳＡ３１７に進む。
【手続補正５】
【補正対象書類名】明細書
【補正対象項目名】００９４
【補正方法】変更
【補正の内容】
【００９４】
以上、図１、図３、図４、図６、図８及び図９を参照して説明したように、本発明の第３実施形態では、第２コネクター１７２に画像出力装置２００が接続されている場合には、以下の処理が実行される。すなわち、選択部１６１が第１コネクター１７１又は第３コネクター１７３を選択している状態から、選択部１６１が第２コネクター１７２を選択している状態に遷移したときに、起動指示部１６２は、画像出力装置２００の起動を指示する。
したがって、起動指示部１６２は、第２コネクター１７２に接続された画像出力装置２００の起動を適正なタイミングで指示できる。換言すれば、起動指示部１６２は、第２コネクター１７２に接続された画像出力装置２００の起動を速やかに指示できる。
【手続補正６】
【補正対象書類名】図面
【補正対象項目名】図１
【補正方法】変更
【補正の内容】
【図１】
2020064255.tif 000001